【手続補正書】
【提出日】平成27年1月19日(2015.1.19)
【手続補正１】
【補正対象書類名】特許請求の範囲
【補正対象項目名】全文
【補正方法】変更
【補正の内容】
【特許請求の範囲】
【請求項１】
被検眼の眼底に光束を投影する投影光学系と、
前記眼底からの光束に対し、分岐した光路を形成する光分割部材と、
前記眼底からの光束が前記光分割部材を介して撮像手段に結像する結像光学系と、
前記光分割部材により発生する非点収差を低減する光学特性を持つ光学素子と、
前記撮像手段におけるリング状の像出力を基に前記被検眼の眼屈折力情報を取得する取得手段と、
を有することを特徴とする眼科装置。
【請求項２】
前記投影光学系が、前記光学素子とは別の前記非点収差を低減する光学特性を持つ光学素子を備えることを特徴とする請求項１に記載の眼科装置。
【請求項３】
前記被検眼に対向する対物レンズを有し、
前記光分割部材は、前記対物レンズと前記被検眼の間の光路内に設けられ、
前記結像光学系で、前記眼底からの光束が前記光分割部材及び前記対物レンズを介して前記撮像手段に結像することを特徴とする請求項１または２に記載の眼科装置。
【請求項４】
前記光分割部材により発生する非点収差を低減する光学特性を持つ光学素子は、前記対物レンズであることを特徴とする請求項３に記載の眼科装置。
【請求項５】
前記対物レンズが、前記光分割部材により発生する非点収差を低減する方向に傾斜していることを特徴とする請求項４に記載の眼科装置。
【請求項６】
前記対物レンズの表面反射光を前記撮像手段に到達させない手段を備えることを特徴とする請求項３乃至５のいずれか１項に記載の眼科装置。
【請求項７】
前記対物レンズが、前記光分割部材により発生する非点収差を低減するトーリックレンズであることを特徴とする請求項４に記載の眼科装置。
【請求項８】
前記光分割部材はダイクロイックミラーであることを特徴とする請求項１乃至７のいずれか１項に記載の眼科装置。
【請求項９】
前記分岐した光路には、固視標投影光学系、前記被検眼の前眼部を観察する観察光学系、前記被検眼の位置合わせ状態を検出する位置合わせ光学系、の少なくとも一つが設けられることを特徴とする請求項１乃至８のいずれか１項に記載の眼科装置。
【請求項１０】
前記結像光学系はリング状絞りを備えることを特徴とする請求項１乃至９のいずれか１項に記載の眼科装置。
【請求項１１】
光路を分岐する光路分岐部材と、  
前記光路分岐部材により発生する非点収差を低減するように傾斜した状態で配置される光学部材と、  
被検眼を照明する照明手段と、  
前記被検眼からの光を、前記光路分岐部材及び前記光学部材を介して検出する検出手段と、  
を有することを特徴とする眼科装置。  
【請求項１２】
前記光学部材は、対物レンズであり、 前記光路分岐部材の傾斜とは異なる方向に傾斜した状態で配置されることを特徴とする請求項１１に記載の眼科装置。  
【請求項１３】
前記光学部材は、前記光路分岐部材の透過光路に配置されることを特徴とする請求項１１または１２に記載の眼科装置。
【請求項１４】
被検眼を照明する照明ステップと、  
前記被検眼からの光を、光路を分岐する光路分岐部材及び前記光路分岐部材により発生する非点収差を低減するように傾斜した状態で配置される光学部材を介して検出する検出ステップと、  
を有することを特徴とする眼科装置の制御方法。
【請求項１５】
前記光学部材は、対物レンズであり、 前記光路分岐部材の傾斜とは異なる方向に傾斜した状態で配置されることを特徴とする請求項１４に記載の眼科装置の制御方法。  
【請求項１６】
前記光学部材は、前記光路分岐部材の透過光路に配置されることを特徴とする請求項１４または１５に記載の眼科装置の制御方法。
【請求項１７】
請求項１４乃至１６のいずれか１項に記載の眼科装置の制御方法の各ステップをコンピュータに実行させるためのプログラム。
【手続補正２】
【補正対象書類名】明細書
【補正対象項目名】発明の名称
【補正方法】変更
【補正の内容】
【発明の名称】眼科装置および眼科装置の制御方法並びにプログラム
【手続補正３】
【補正対象書類名】明細書
【補正対象項目名】０００１
【補正方法】変更
【補正の内容】
【０００１】
本発明は、被検眼の固有情報（例えば眼屈折力、角膜形状、眼底像等）もしくは位置合わせ情報を取得する眼科装置および眼科装置の制御方法並びにプログラムに関する。
【手続補正４】
【補正対象書類名】明細書
【補正対象項目名】００１０
【補正方法】変更
【補正の内容】
【００１０】
本発明の目的は、上述の問題点を解消し、受光系におけるダイクロイックミラー等の光分割部材により発生する非点収差を低減する眼科装置および眼科装置の制御方法並びにプログラムを提供することにある。
【手続補正５】
【補正対象書類名】明細書
【補正対象項目名】００１１
【補正方法】変更
【補正の内容】
【００１１】
上記目的を達成するために、本発明に係る眼科装置は、被検眼の眼底に光束を投影する投影光学系と、前記眼底からの光束に対し、分岐した光路を形成する光分割部材と、前記眼底からの光束が前記光分割部材を介して撮像手段に結像する結像光学系と、前記光分割部材により発生する非点収差を低減する光学特性を持つ光学素子と、前記撮像手段におけるリング状の像出力を基に前記被検眼の眼屈折力情報を取得する取得手段と、を有することを特徴とする。
また、本発明に係る別の眼科装置は、光路を分岐する光路分岐部材と、 前記光路分岐部材により発生する非点収差を低減するように傾斜した状態で配置される光学部材と、 被検眼を照明する照明手段と、 前記被検眼からの光を、前記光路分岐部材及び前記光学部材を介して検出する検出手段と、 を有することを特徴とする。
また、本発明に係る眼科装置の制御方法は、被検眼を照明する照明ステップと、 前記被検眼からの光を、光路を分岐する光路分岐部材及び前記光路分岐部材により発生する非点収差を低減するように傾斜した状態で配置される光学部材を介して検出する検出ステップと、 を有することを特徴とする。
また、眼科装置の制御方法の各ステップをコンピュータに実行させるプログラムも本発明の他の一側面を構成する。
【手続補正６】
【補正対象書類名】明細書
【補正対象項目名】００４５
【補正方法】変更
【補正の内容】
【００４５】
なお、上述した実施形態においては、被検眼に光束を投影する投影光学系および被検眼からの光束を光分割部材を介して受光する対物レンズを含む結像光学系が、光分割部材により発生する非点収差を低減する光学特性を備える光学素子を共に備えたが、本発明の範囲内として、非点収差を低減する手段として、一つは光路中に円柱レンズを追加することも考えられる。但し、本実施形態の方が、極めて微弱な光量の眼底反射光を検出する眼屈折力光学系において光学面が余分に増えないことで光量およびコストの観点から有利となる。また、本発明の範囲内として、ガラスからなる平行平板ではなく、直方体のプリズム中に微小の厚みの反射面を持つダイクロイックプリズムを使用し、非点収差の発生を抑制することが考えられるが、本実施形態の方が、同様に光量およびコストの観点から有利となる。
【手続補正７】
【補正対象書類名】明細書
【補正対象項目名】００６０
【補正方法】変更
【補正の内容】
【００６０】
（その他の実施形態）
また、本発明は、更に撮像手段の出力を基に被検眼の固有情報もしくは位置合わせ情報を取得する眼科装置の制御方法（眼科制御方法）として、被検眼を照明する照明ステップと、 前記被検眼からの光を、光路を分岐する光路分岐部材及び前記光路分岐部材により発生する非点収差を低減するように傾斜した状態で配置される光学部材を介して検出する検出ステップと、 を有する。
【手続補正８】
【補正対象書類名】明細書
【補正対象項目名】００６６
【補正方法】変更
【補正の内容】
【００６６】
（変形例４）
上述した実施形態においては、被検眼に光束を投影する投影光学系および被検眼からの光束を光分割部材を介して受光する対物レンズを含む結像光学系が、光分割部材により発生する非点収差を低減する光学特性を備える光学素子を共に備えたが、これに限られない。即ち、被検眼からの光束を光分割部材を介して受光する対物レンズを含む結像光学系が、光分割部材により発生する非点収差を低減する光学特性を備える光学素子を備えるものであっても良い。